(57)【要約】【課題】  建築物及び乗り物の水洗式トイレの設備用品であるトイレット、ペーパー、ホルダーにおいて、ペーパーの取り出しが迅速にできない、又引き出し後、切断に両手を必要とし、非能率である。【手段】  ペーパーを切断した場合に、切り残ったペーパー先端を垂れ下げ、次回使用に際し摘み易くする、又引き出しを終えたペーパーを上方に引上げ操作にて片手にて切断を可能とする。【選択図】図１
2010005349.tif 000002
【特許請求の範囲】
【請求項１】
ルダーケース内の上部にペーパー巻本体を掛止め、ホルダーケース内の下部後方に方向転換具設け、前部に切断刃と開口部、底部にペーパー受板を設けて成るトイレット、ペーパー、ホルダーにおいて、方向転換具を前後可動方式に成し、該方向転換具の前面部にストッパーを設けて成ることを特徴としたトイレット、ペーパー、ホルダー。
【請求項２】
請求項１記載のトイレット、ペーパー、ホルダーにおいて、方向転換具の外周面、及びストッパーの接触面に不滑性素材を装着して成ることを特徴としたトイレット、ペーパー、ホルダー。
【請求項３】
請求項１記載のトイレット、ペーパー、ホルダーであって、切断刃にてペーパーを切断さした場合において、内部のペーパー端末をペーパー受板の先端より下向きに垂らし成ることを特徴とするトイレット、ペーパー、ホルダー。
【請求項４】
請求項１記載のトイレット、ペーパー、ホルダーにおいて、開口部外に引き出したる、ペーパーを急速に引く操作により方向転換具を前方向に進行せしめストッパに接触せしめることによりペーパーの引き出しを停止せしむる方法を特徴としたトイレット、ペーパー、ホルダー。
【発明の詳細な説明】
【技術分野】
【０００１】  本発明は建築物、及び乗り物等の水洗式トイレの設備用品として使用される、トイレット、、ペーパー、ホルダーに関するものである。
【背景技術】
【０００２】  人類の生活様式が近代化されると、トイレも水洗式に近代化され、トイレ配管の詰まり防止のため、トイレ用紙は水溶性の物が開発されロール状の巻き様式が現今、一般社会に広く普及している、この用紙を装着する器具を、トイレット、ペーパー、ホルダーの商品名にて市販されている、この物は一応の機能を有するが、使い便利なものでない。
使い便利にする物が色々と開発されて居るが、市場に出せる実用的なものは、未だ開発されて居ない。
最近に至り、ペーパーの切断性能を少し向上させたもの、又水を使用してペーパーを切断する方式のものが出現しているが、管理の手数を要せず、片手にても使用可能な、使い便利なものは未だ市場に出て居ない。
【発明の開示】
【発明が解決しようとする課題】
【０００３】  現今市場にて販売されているトイレット、ペーパー、ホルダーの欠点は、ペーパーの切断をペーパーを巻いた、そのペーパーの上で、切断している、そのため次回の使用に際して、ペーパーの端末を取り出す事が困難になり迅速にできない事が多い、容易に取り出せることが必要である。
ペーパーの切断操作は両手を使用しても不便でないが、片手にて切断ができれば、切断操作が極めて楽になり迅速になる。
ペーパーの端末取り出しの容易と、切断の容易を、簡単な機構、構成にて実現させる事が切望される。
【課題を解決するための手段】
【０００４】  本発明は上記問題点を解決するために成されたものであって、トイレット、ペーパー、ホルダーのケース内の上部にペーパーの巻本体を掛止める方式は従来と同様であるが、本発明のペーパー巻本体は、巻き方向が、反対にされて居り、そのためペーパーは後ろ下に引出される。
ホルダーケース内の底部後方に方向転換具を設け、このものにてペーパーを前方向に進行を変更させ、ホルダーケースの前面の下部に設けられたペーパー引出し口を経て、外部に引出す。
ホルダーケースの底板は開閉構造に成しペーパーの受板として使用する、このペーパー受板の上面をペーパーは通過して、ホルダーケースの前面下部に設けられた開口部を経て外部に引き出す、開口部の上側部に切断刃を設ける。
本発明のペーパー切断操作は、外部に引き出したる、ペーパーを上方に引き上げ、切断刃にペーパーを押し当てることにより切断する、この切断操作の場合にペーパーが進行すると切断性が低下する、この対策として方向転換具の表面に滑り防止の素材を装着し、方向転換具の回転軸を前後に移動方式に成し、ペーパーを急速に引くと方向転換具は前方に引かれ、前方に設けられたるストッパーに当たる、ストッパーの当たり面にも滑り止め素材を装着し、方向転換具の回転を完全に停止せしめ、それにてペーパーの引き出しを完全に停止せしめる。
方向転換具を不回転のものにしたる場合には、ペーパーの切断時の、ペーパーの動きを停止させる方法としてペーパー巻本体に押え板を設け、ペーパーの切断操作を良好にする
【発明の効果】
【０００５】  従来のトイレット、ペーパー、ホルダーは、使用に際してペーパーの端末を取り出し摘む事が困難であった、又ペーパーの切断も両手を必要として不便なものであった。
本発明は、この問題点を解決したものであって、片手にてペーパーの引出しと、切断が容易、迅速にできる。
本発明は水のような補給の管理に面倒なものを必要とせず、構成が極めて簡素である、そのため廉価にて製造、販売ができ、使い易く有益な発明である。
【発明を実施するための最良の形態】
【０００６】  本発明は従来のトイレット、ペーパー、ホルダーと外観の形状は類似しているが、ペーパー巻本体の回転方向を従来の反対にして居り、ホルダーケースの前面の下部にペーパー引出し口と、ペーパー切断機構を設けて成る構成のトイレット、ペーパー、ホルダー。
【実施例】
【０００７】  本発明は現今の一般建築物及び乗り物の水洗式トイレの設備用品として広く普及しているトイレット、ペーパー、ホルダーのペーパー引出しと、切断操作を、容易、迅速化したものである。
以下本発明を図面に基づき詳細に説明する、［図１］は本発明のトイレット、ペーパーホルダーにおいてペーパーを引出した場合の作用説明図であって、１は本発明の全部品を収納するホルダーケースである、このものは合成樹脂の成形品、又は金属、木材等を加工して製作される。
ホルダーケース１の上方内部には、ペーパー巻本体２が掛止められて居り、この方法は従来と全く同様であるが、本発明はペーパーの巻き方向を反対にして居り、そのためペーパーは後方下に引き出される、３は引出されたペーパーである、このペーパー３はホルダーケース１内の底部後方に設けられた円棒状の方向転換具４により進行方向を前方に変更して、ホルダーケース１の底部に設けられたペーパー受板５の上面を滑行し、ホルダーケホス１の前面下部に設けられた開口部７を経て、外部に引き出される、８はペーパー３の端末である、６はペーパー端末８を摘んだ指先である。【０００８】  ［図２］は本発明のトイレット、ペーパー、ホルダーにおいて、ペーパー３を切断する場合の説明図にして、引出しを終えたペーパー３のペーパー端末８を摘みたる指先６を、瞬発的に速く上ニ揚げ、ペーパー３を切断刃９の下端の刃先に押し当てて切断する、ペーパー３は極めて、切断の容易な水溶性の薄い紙なるため、切断刃９は鋭利な刃先で無くとも切断は可能である、そこで指先６を切らない鈍い刃先を使用して安全化する。【０００９】  ［図３］は本発明のトイレット、ペーパー、ホルダーにおいて、ペーパー３を切断し、終えた場合の状態図であって、切り離されたペーパー３は使用者にて使用される。
切り残された内部のペーパー３の端末８はペーパー受板５の前端に垂れ下がり、次回の使用に際して、ペーパー３の端末８の摘みを迅速、容易にする、従来のホルダーは、このペーパー端末８の摘みが困難であった、又片手にて摘み出す事は不可能であったが、本発明は、この問題を簡易に解決したものである。【００１０】  ［図４］は本発明のトイレット、ペーパー、ホルダーにおいてペーパー３の切断性を向上させるための、一例図である。
本発明はペーパー３を指先６にて上に揚げ切断刃９に押し当てる操作にて、ペーパー３を切断するのであるが、その操作は迅速を要する、緩慢な操作では、良い切断ができない場合がある、切断刃９を鋭利な刃先にすれば緩慢操作にても良好な切断ができるが、それは危険性があり実用上にて使用できない。
そこで方向転換具４の回転軸１１を前後に僅かながら進退可能な方式にして、前に移動したる場合に前部に設けられたるストッパー１０にて方向転換具４の回転と前進を停止せしめる。
ペーパー３を指先６にて引くと方向転換具４は回転しながら前方に引かれストッパー１０に当たり回転は停止する、この場合にペーパー３が方向転換具４の表面上をスリップしてはならない、このスリップ防止の対策としてペーパー３に対して全く滑らない素材を、方向転換具４の表面に設け使用する、このスリップ防止素材は、多種類あり、どのような物を利用しても良いことは、勿論である。
方向転換具４の回転軸１１の後退はバネにて回転軸１１を押し後退せしめるのが最も簡単であるが、可能なれば、どのような方式を利用しても良いことは勿論である、このバネによる後退方法の説明図は簡単なため省略する。
ペーパー巻本体２に回転を重くする装置を設ければ、方向転換具４を不回転の固定した滑性の丸棒にても良いことは勿論である。
本発明はこのような実施例に何等限定されるものでなく、本発明の要旨を逸脱しない範囲において、種々なる態様にて実施し得ることは勿論である。
【産業上利用の可能性】
【００１１】  本発明は簡素な構成成るため製造が容易であり、廉価にて販売することが可能である、そして水洗式トイレを設備したる建築物、乗り物が、今後の販路なるため、利用の可能性は膨大なものがある。
【図面の簡単な説明】
【００１２】
【図１】は本発明のトイレット、ペーパー、ホルダーにおいて、ペーパー３を引き出した場合の作用説明図である。
【図２】は本発明のトイレット、ペーパー、ホルダーにおいて、ペーパー３を切断する場合の作用説明図であね。
【図３】は本発明のトイレット、ペーパー、ホルダーにおいて、ペーパー３を切断後の作用説明図である。
【図４】は本発明のトイレット、ペーパー、ホルダーにおいて、ペーパー３の切断性を向上させるための一例図である。
【符号の説明】
【００１３】  １  ホルダーケース
２  ペーパー巻本体
３  ペーパー
４  方向転換具
５  ペーパー受板
６  指先
７  開口部
８  ペーパー端末
９  切断刃
１０  ストッパー
１１  回転軸
【図１】
2010005349.tif 000003
【図２】
2010005349.tif 000004
【図３】
2010005349.tif 000005
【図４】
2010005349.tif 000006